(57)【要約】【課題】  掛け布団、肌布団、及びカバーが一体とされた布団の提供。【解決手段】  カバーと複数の羽根布団で構成され、そのうちカバーは表布と裏布の２層構成とされ、その両側にスライドファスナーで開閉自在の開口が設けられ、中間が立体縫製されて２本の横向きの仕切りが設けられて羽根布団を収容する空間が設けられ、各羽根布団は複数のバッグで組成され、カバーの側面開口より仕切りの形成する空間に挿入され、並びにカバー内の空間の角部に設けられたフックにより羽根布団が空間中で展開状を呈し、これにより、掛け布団、肌布団、及びカバーが一体とされている。【選択図】        図１
0003109550.tif 000002
【実用新案登録請求の範囲】
【請求項１】
カバーと複数の羽根芯で構成され、
該カバーは表布と裏布を具え、その両側にスライドファスナーで開閉自在の開口が設けられ、中間が立体縫製されて少なくとも一つの横向きの仕切りが設けられて羽根芯を収容する複数の空間が設けられ、各空間の角部に係止装置が設けられ、
該複数の羽根芯はそれぞれが複数のバッグで構成されて内部に充填物を具え、その角部に連接装置を具え、
羽根芯がカバーの空間内に組み合わされ、並びに係止装置が連接装置と組み合わされて羽根芯が展開並びに固定され、カバー両側のスライドファスナーにより羽根芯の取り出し自在とされたことを特徴とする、布団。
【請求項２】
請求項１記載の布団において、係止装置が結んでリング状とすることができる２本の帯体とされたことを特徴とする、布団。
【請求項３】
請求項１記載の布団において、羽根芯の連接装置がリング状とされたことを特徴とする、布団。
【考案の詳細な説明】
【技術分野】
【０００１】
本考案は布団の構造に係り、特に、掛け布団、肌布団、及びカバーが一体とされた布団に関する。
【背景技術】
【０００２】
現在ある羽根布団は、いずれも全体が一体状に成形されて分割不能である。一枚の羽根布団は掛け布団と肌布団に自由に交換することはできない。並びに一般に羽根布団は表布と裏布を有し、それに使用される材料は異なるものの、全体としては一種類の形、及び羽根を使用しており、変化に乏しい。
【０００３】
このほか、現在ある羽根布団の体積は大きく、一般家庭用の洗濯機の容積が足らない時に洗おうとすれば、外部のクリーニング店でクリーニング及び乾燥してもらわねばならず、非常に不便である。並びにカバーと羽根の間を分割できないため、同一水洗方式で洗浄するしかなく、中間の羽根を損壊しやすい。
【０００４】
現在ある伝統的な羽根布団は、布団の体積が大きく、収納に相当大きな空間を占有し、十分に不便である。
【考案の開示】
【考案が解決しようとする課題】
【０００５】
現在ある羽根布団の欠点を鑑み、本考案は、布団の製造技術上、大幅な改良を行ない、一種の、掛け布団、肌布団及びカバーを一体としたスリーインワン布団を提供するものである。
【０００６】
本考案はカバーと複数の羽根芯で構成され、そのうちカバーは表布と裏布の２層構成とされ、その両側にスライドファスナーで開閉自在の開口が設けられ、中間が立体縫製されて２本の横向きの仕切りが設けられて羽根芯を収容する空間が設けられ、各羽根芯は複数のバッグで組成され、カバーの側面開口より縫合線の形成する空間に挿入され、並びにカバー内の空間の角部に設けられたフックにより羽根芯が空間中で展開状を呈するものとされる。
【課題を解決するための手段】
【０００７】
請求項１の考案は、カバーと複数の羽根芯で構成され、
該カバーは表布と裏布を具え、その両側にスライドファスナーで開閉自在の開口が設けられ、中間が立体縫製されて少なくとも一つの横向きの仕切りが設けられて羽根芯を収容する複数の空間が設けられ、各空間の角部に係止装置が設けられ、
該複数の羽根芯はそれぞれが複数のバッグで構成されて内部に充填物を具え、その角部に連接装置を具え、
羽根芯がカバーの空間内に組み合わされ、並びに係止装置が連接装置と組み合わされて羽根芯が展開並びに固定され、カバー両側のスライドファスナーにより羽根芯の取り出し自在とされたことを特徴とする、布団としている。
請求項２の考案は、請求項１記載の布団において、係止装置が結んでリング状とすることができる２本の帯体とされたことを特徴とする、布団としている。
請求項３の考案は、請求項１記載の布団において、羽根芯の連接装置がリング状とされたことを特徴とする、布団としている。
【考案の効果】
【０００８】
本考案のカバーは両側にスライドファスナーで開閉自在の開口が設けられ、羽根芯を縫合線で区切られてなる空間中に挿入するのに便利である。羽根芯を組み合わせなければ即ち肌布団が形成され、単層或いは多層の羽根芯が組み合わされることで掛け布団とされ、使用者が自分で選択し、中身を随時交換することができる。
【０００９】
本考案の布団内の羽根芯は取り出すことができ、比較的小さい体積とすることができ、洗浄時に家庭用洗濯機の容積で分割して洗うことができ、分割して乾燥することができる。またカバーは羽根芯と分離して異なる水洗方式で洗浄できる。
【００１０】
このほか、本考案を収納する時、羽根芯とカバーは分離可能で、占用空間を小さくすることができる。且つ羽根芯を組み合わせて各サイズのクッション、枕等の実用物品となすことができる。
【考案を実施するための最良の形態】
【００１１】
図１から図４に示されるように、本考案の布団はカバー１０及び複数の羽根芯２０で構成されている。
【００１２】
カバー１０は表布１１と裏布１２を具え、その両側にスライドファスナー１３で開閉自在な開口が設けられている。該スライドファスナー１３はスライド１４で操作され開閉する。カバー１０の中間には横向きの縫合線１６が設けられ、それは立体縫製されて２本の仕切り１７を形成し（図３）、表布１１と裏布１２の間に羽根芯２０を収容できる複数の空間を形成する。
【００１３】
カバー１０内の仕切り１７により形成された空間の角部に、係止装置１５が設けられ、図示されるのは２本の帯体とされ、それは結ばれて閉じたリング状とされ、羽根芯２０を固定する。
【００１４】
羽根芯２０は複数のバッグ２１で構成され、その内部に羽根が充填されている。羽根芯２０の角部には連接装置２２が設けられ、それは係止装置１５に固定され、これにより羽根芯２０が平坦にカバー１０内の空間にあって展開される。図示される連接装置はリング状とされ、係止装置１５の帯体が通され、帯体が結ばれることでカバー１０に固定される。
【００１５】
本考案を組み合わせる時は、まずカバー１０の両側のスライドファスナー１３が開かれて開口状とされ、羽根芯２０が仕切り１７により区画された空間内に挿入され、その後、図５に示されるように、係止装置１５と連接装置２２が結合され、各羽根芯２０がカバー１０の表布１１と裏布１２の間で平坦に展開される。最後にスライドファスナー１３がスライド１４で操作されて両側開口が閉じられ、図２に示されるような布団が形成される。
【００１６】
明らかに、本考案のカバー１０は羽根芯２０を組み合わせずに、カバー１０を肌布団として使用することができる。
【００１７】
当然、カバー１０の仕切り１７で区切られた空間には多層の羽根芯２０を組み合わせて厚い布団として使用することができる。
【００１８】
注意すべきは、本考案の布団は比較的小さい羽根芯２０で組成され得て且つ自由に分割可能であり、使用者は必要により随時掛け布団或いは肌布団とすることができる。本考案はカバー１０及び羽根芯２０を分離して異なる方式で洗浄でき、且つ分割して家庭用洗濯機の容積で洗え、乾燥させることができる。
【００１９】
本考案のカバー１０の両側のスライドファスナー１３の設計は羽根芯２０の着脱に十分便利であり、また使用者が異なる色や模様のカバーを自由に組み合わせたり交換したりすることができ、伝統的な布団の全体の交換ができない欠点を打破する。
【００２０】
本考案は更にカバー１０と羽根芯２０を分離して収納できる長所を有し、これによりそれぞれが占用する空間を縮小でき、収納室内に放置しやすい。
【００２１】
本考案は多用途を有し、図６に示されるように、本考案の羽根芯２０は各種規格のクッション、枕等の用品に組み合わせることができる。
【００２２】
更に、本考案の布団中の係止装置１５及び連接装置はその他の既知の連結機構に交換することが可能で、例えば留め具の類とすることができる。これは本考案の簡単な転換であり、本考案の請求範囲中に属する。
【００２３】
総合すると、本考案の提供する布団の新構造は、大幅に現在有る羽根布団の欠点を改善し、完全に実用新案登録の要件に符合する。
【図面の簡単な説明】
【００２４】
【図１】本考案の分解図である。
【図２】本考案の組合せ図である。
【図３】本考案の側面断面図である。
【図４】本考案の平面透視図である。
【図５】本考案の組合せ動作図である。
【図６】本考案羽根芯が折り畳まれて各クッション或いは枕とされた表示図である。
【符号の説明】
【００２５】
１０  カバー
１１  表布
１２  裏布
１３  スライドファスナー
１４  スライド
１５  係止装置
１６  縫合線
１７  仕切り
２０  羽根芯
２１  バッグ
２２  連接装置
【図１】
0003109550.tif 000003
【図２】
0003109550.tif 000004
【図３】
0003109550.tif 000005
【図４】
0003109550.tif 000006
【図５】
0003109550.tif 000007
【図６】
0003109550.tif 000008